(57)【特許請求の範囲】
【請求項１】
コネクタハウジングと、
前記コネクタハウジングに設けられたコンタクト収容室と、
前記コネクタハウジングに設けられ、前記コンタクト収容室に挿入されるコンタクトを係止する係止部とを備えるコネクタにおいて、
前記係止部は平板部と突起部とを有するとともに、前記コネクタハウジングの後部から前部へ向かって延び、
前記突起部は前記平板部の反コンタクト側面に位置し、
前記コネクタハウジングの前後方向と直交する方向で前記係止部を切断したときの前記突起部の断面の幅が前記平板部の断面の幅より小さい
ことを特徴とするコネクタ。
【請求項２】
コネクタハウジングと、
前記コネクタハウジングに設けられた複数のコンタクト収容室と、
前記コネクタハウジングに設けられ、前記コンタクト収容室にそれぞれ挿入される複数のコンタクトを係止する係止部とを備えるコネクタにおいて、
前記係止部は平板部と突起部とを有するとともに、前記コネクタハウジングの後部から前部へ向かって延び、
前記突起部は前記平板部の反コンタクト側面に位置し、
前記コネクタハウジングの前後方向と直交する方向で前記係止部を切断したときの前記突起部の断面の幅が前記平板部の断面の幅より小さく、
前記コンタクト収容室を区画する隔壁に、前記コンタクトの挿入によって前記係止部が撓んだときに前記係止部の一部を受容する孔が設けられている
ことを特徴とするコネクタ。
【請求項３】
前記隔壁に、前記コンタクトを挿入したときに前記係止部の撓み量を規制する撓み量規制部が設けられていることを特徴とする請求項２記載のコネクタ。
【請求項４】
前記コンタクト収容室に着脱可能であって、前記孔を閉塞可能な閉塞部材を備えていることを特徴とする請求項２又は３記載のコネクタ。
【発明の詳細な説明】
【０００１】
【発明の属する技術分野】
この発明はコネクタに関し、特にコンタクトを係止する係止部を備えるコネクタの改良に関する。
【０００２】
【従来の技術】
図8は従来のコネクタの正面図、図9は図8のIX−IX 線に沿う断面図、図１０はハウジングランスの拡大斜視図、図１１はコンタクトの斜視図である。
【０００３】
コネクタ２０１は、コネクタハウジング２１０と、コネクタハウジング２１０に設けられたコンタクト収容室２２０と、コネクタハウジング２１０に設けられ、コンタクト収容室２２０に挿入されるコンタクト２５０を係止するハウジングランス２３０とを備えている。
【０００４】
コンタクト収容室２２０はコネクタハウジング２１０の前後方向（図９の左右方向）へ延びる。
【０００５】
ハウジングランス２３０はコネクタハウジング２１０の前方（図９の左方向）へ向かって延び、コンタクト収容室２２０に臨んでいる。
【０００６】
コンタクト２５０は、図１１に示すように、接触部２５１と、切欠部２５２と、圧着部２５３と、押え部２５４とを備えている。
【０００７】
コンタクト２５０は金属薄板を折り曲げて形成されている。
【０００８】
接触部２５１は上板部２５１ａ、下板部２５１ｂ及び２つの側板部２５１ｃで構成される正方形断面の筒状に形成され、図示しない相手側コンタクトと接触する接点部（図示せず）は該筒状内に形成されている。
【０００９】
接触部２５１の上板部２５１ａの端部にハウジングランス２３０の係止面２３１と突き当たる切欠部２５２が形成されている。
【００１０】
接触部２５１の側板部２５１ｃはコンタクト２５０をコンタクト収容室２２０に挿入する際のガイドとして機能する。
【００１１】
圧着部２５３はケーブル２０５の芯線２０６を保持する。
【００１２】
押え部２５４はケーブル２０５の芯線被覆２０７を保持する。
【００１３】
次に、コネクタハウジング２１０へのコンタクト２５０の挿入について説明する。
【００１４】
コンタクト２５０をコネクタハウジング２１０の後部開口２１２から側板部２５１ｃをガイドとしてコンタクト収容室２２０へ挿入すると、ハウジングランス２３０が接触部２５１の上板部２５１ａによって上方へ撓む。
【００１５】
コンタクト２５０が正規の位置まで挿入されると、ハウジングランス２３０は元の位置に復帰するとともに、コンタクト２５０の切欠部２５２がハウジングランス２３０の係止面２３１ａに係止される。
【００１６】
その結果、ハウジングランス２３０によってコンタクト２５０がコンタクト収容室２２０内に保持され、コンタクト２５０を後部開口２１２から引き抜けなくなる。
【００１７】
【発明が解決しようとする課題】
ところで、ハウジングランス２３０のコンタクト保持力（剛性）は、ハウジングランス２３０の幅をｗ、高さをｈとしたとき、幅ｗでほぼ決定している。すなわち、幅ｗが大きくなるにしたがってコンタクト保持力が大きくなる。
【００１８】
しかし、上記従来例のように高さｈが一定の場合、幅ｗを大きくすることによってコンタクト保持力を大きくすることはできるが、幅ｗが大きくなるにしたがってハウジングランス２３０の弾性力が高くなるため、コンタクト２５０をコネクタハウジング２１０に挿入するときに大きな挿入力が必要となるという問題がある。
【００１９】
この発明はこのような事情に鑑みてなされたもので、その課題は大きなコンタクト保持力を確保しながらコンタクトの挿入性に優れたコネクタを提供することである。
【００２０】
【課題を解決するための手段】
上記課題を解決するため請求項１記載の発明は、コネクタハウジングと、前記コネクタハウジングに設けられたコンタクト収容室と、前記コネクタハウジングに設けられ、前記コンタクト収容室に挿入されるコンタクトを係止する係止部とを備えるコネクタにおいて、前記係止部は平板部と突起部とを有するとともに、前記コネクタハウジングの後部から前部へ向かって延び、前記突起部は前記平板部の反コンタクト側面に位置し、前記コネクタハウジングの前後方向と直交する方向で前記係止部を切断したときの前記突起部の断面の幅が前記平板部の断面の幅より小さいことを特徴とする。
【００２１】
係止部は平板部と突起部とを有するとともに、コネクタハウジングの後部から前部へ向かって延び、突起部は平板部の反コンタクト側面に位置し、コネクタハウジングの前後方向と直交する方向で係止部を切断したときの突起部の断面の幅が平板部の断面の幅より小さいため、係止部のコンタクト保持力を大きくすることができるとともに、コンタクトをコネクタハウジングに挿入するときに大きな力を必要としない。
【００２２】
請求項２記載の発明は、コネクタハウジングと、前記コネクタハウジングに設けられた複数のコンタクト収容室と、前記コネクタハウジングに設けられ、前記コンタクト収容室にそれぞれ挿入される複数のコンタクトを係止する係止部とを備えるコネクタにおいて、前記係止部は平板部と突起部とを有するとともに、前記コネクタハウジングの後部から前部へ向かって延び、前記突起部は前記平板部の反コンタクト側面に位置し、前記コネクタハウジングの前後方向と直交する方向で前記係止部を切断したときの前記突起部の断面の幅が前記平板部の断面の幅より小さく、前記コンタクト収容室を区画する隔壁に、前記コンタクトの挿入によって前記係止部が撓んだときに前記係止部の一部を受容する孔が設けられていることを特徴とする。
【００２３】
係止部は平板部と突起部とを有するとともに、コネクタハウジングの後部から前部へ向かって延び、突起部は平板部の反コンタクト側面に位置し、コネクタハウジングの前後方向と直交する方向で係止部を切断したときの突起部の断面の幅が平板部の断面の幅より小さいため、係止部のコンタクト保持力を大きくすることができるとともに、コンタクトをコネクタハウジングに挿入するときに大きな力を必要としない。また、コネクタハウジングに複数のコンタクト収容室が設けられている場合、コンタクト収容室間のピッチは、係止部の厚さと、コンタクト挿入時の係止部の撓みを吸収する撓みスペースと、コンタクト収容室間を区切る隔壁の厚さと、コンタクトの高さによって決定されるが、コンタクト収容室を区画する隔壁に、コンタクトの挿入によって係止部が撓んだときに係止部の一部を受容する孔が設けられているため、隔壁の厚さ分だけ従来のコンタクト収容室間のピッチより小さくできる。
【００２４】
請求項３記載の発明は、請求項２記載のコネクタにおいて、前記隔壁に、前記コンタクトを挿入したときに前記係止部の撓み量を規制する撓み量規制部が設けられていることを特徴とする。
【００２５】
隔壁に、コンタクトを挿入したときに係止部の撓み量を規制する撓み量規制部が設けられているため、コンタクトを引き抜く等によって係止部を所定量以上撓ませる大きな力が加わったとしても、係止部の過度の撓みが撓み量規制部によって規制される。
【００２６】
請求項４記載の発明は、請求項２又は３記載のコネクタにおいて、前記コンタクト収容室に着脱可能であって、前記孔を閉塞可能な閉塞部材を備えていることを特徴とする。
【００２７】
コンタクト収容室に着脱可能であって、孔を閉塞可能な閉塞部材を備えているため、閉塞部材をコンタクト収容室に装着したとき、コネクタハウジングの前端面の開口面積を小さくできるとともに、隣り合うコンタクト間を閉塞することができる。
【００２８】
【発明の実施の形態】
以下、この発明の実施の形態を図面に基づいて説明する。
【００２９】
図１はこの発明の第１実施形態に係るコネクタの正面図、図２は図１のII−II線に沿う断面図、図３はハウジングランスの拡大斜視図、図４は図２のIV−IV線に沿う断面図である。
【００３０】
コネクタ１のコネクタハウジング１０は、コンタクト収納室２０とハウジングランス（係止部）３０とを備えている。
【００３１】
コネクタハウジング１０は樹脂で成形され、その前端面には相手側コンタクト（図示せず）をコンタクト収納室２０へ案内する孔１１が形成され、後端面にはコンタクト２５０をコンタクト収納室２０へ案内する後部開口１２が形成されている。
【００３２】
また、コネクタハウジング１０には相手側コネクタのロック受部（図示せず）とロック部１３とのロック状態を解除するロックレバー１４が設けられている。
【００３３】
コンタクト収納室２０はコネクタハウジング１０の前後方向へ延びるように形成されている。このコンタクト収納室２０に臨むようにハウジングランス（係止部）３０が設けられている。
【００３４】
ハウジングランス３０はコネクタハウジング１０の後部から前部へ向かって延びる片持ち梁構造をしており、その先端側部分がコネクタハウジング１０の上下方向（矢印Ａで示した方向）へ弾性変形可能である。
【００３５】
ハウジングランス３０はコンタクト収納室２０側に位置する平板部（係止部の一部）３１と平板部３１の上面に形成された突起部（係止部の一部）３２とを備えている。
【００３６】
図４に示すように、平板部３１の断面の幅ｗ１は突起部３２の断面の幅ｗ２より十分に大きく、ハウジングランス３０の断面のコンタクト側領域Ｚ１の面積が反コンタクト側領域Ｚ２の面積より大きい。
【００３７】
突起部３２の先端部３２ａは平板部３１の係止面３１ａより前方（コネクタハウジング１０の前端面へ向かう方向）へ延びている。
【００３８】
平板部３１の高さと突起部３２の高さとの和は従来のハウジングランス２３０の高さとほぼ同じである。
【００３９】
平板部３１の係止面３１ａがコンタクト２５０の切欠部２５２を係止する。
【００４０】
上下方向で隣り合うコンタクト収容室２０を区画する隔壁２１には、コンタクト２５０の挿入によってハウジングランス３０が上方へ撓んだときに突起部３２を受容する孔２２が設けられている。
【００４１】
また、コンタクト２５０の挿入によってハウジングランス３０が上方へ撓んだときに平板部３１が当接してハウジングランス３０の撓み量を規制する撓み量規制部２３が隔壁２１に設けられている。
【００４２】
次に、コネクタハウジング１０へのコンタクト２５０の挿入について説明する。
【００４３】
コンタクト２５０をコネクタハウジング１０の後部開口１２からコンタクト収容室２０に挿入する。
【００４４】
コンタクト収容室２０内のコンタクト２５０はハウジングランス３０を上方へ押圧してハウジングランス３０を撓ませる。このとき、ハウジングランス３０の突起部３２が孔２２に受容される。
【００４５】
コンタクト２５０を正規の係止位置まで挿入したとき、ハウジングランス３０は弾性力によって元の位置に復帰し、コンタクト２５０の切欠部２５２がハウジングランス３０の係止面３１ａに係止される。
【００４６】
その結果、コンタクト２５０がコネクタハウジング１０から抜け出ることが防止される。
【００４７】
コンタクト２５０を引き抜くときには、コネクタハウジング１０の前端面から図示しない工具を挿入して先端部３２ａを上方へ持ち上げ、コンタクト２５０の切欠部２５２とハウジングランス３０の係止面３１ａとの係止状態を解除した後、コンタクト２５０をコネクタハウジング１０の後方へ引っ張ればよい。
【００４８】
このとき、ハウジングランス３０を所定量以上撓ませる大きな力が加わったとしても、平板部３１の上面３１ｂが撓み量規制部２３に当接し、ハウジングランス３０の過度の撓みが規制される。
【００４９】
この第１実施形態によれば、突起部３２を平板部３１の反コンタクト側面に位置させ、突起部３２の断面の幅を平板部３１の断面の幅よりも小さくしたため、ハウジングランス３０のコンタクト保持力を向上させることができるとともに、コンタクト２５０をコネクタハウジング１０に挿入するときに大きな力を必要としない優れた挿入性を得ることができる。
【００５０】
また、ハウジングランス３０が撓んだとき、ハウジングランス３０の突起部３２が隔壁２１の孔２２に受容されるため、従来のコンタクト収容室１２０間のピッチより隔壁２１の厚さ分だけコンタクト収容室２０間のピッチを小さくでき、コネクタハウジング１０の上下方向の寸法を小さくしてコネクタ１の小型化、薄型化を図ることができる。
【００５１】
更に、ハウジングランス３０を所定量以上撓ませる大きな力が加わったとしても、ハウジングランス３０の過度の撓みが撓み量規制部２３によって規制されるため、ハウジングランス３０の塑性変形が阻止される。
【００５２】
図５はこの発明の第２実施形態に係るコネクタの正面図、図６は図５のVI−VI線に沿う断面図、図７はハウジングランスの拡大斜視図であり、第１実施形態と共通する部分には同一符合を付してその説明を省略する。
【００５３】
コネクタ１０１は、コネクタハウジング１１０と、コンタクト収納室１２０と、ハウジングランス（係止部）３０と、樹脂製のリテーナ（閉塞部材）１４０とを備えている。
【００５４】
コネクタハウジング１１０は樹脂で成形され、その前端面には相手側コンタクト（図示せず）をコンタクト収納室１２０へ案内する孔１１１が形成され、後端面にはコンタクト２５０をコンタクト収納室１２０へ案内する後部開口１１２が形成されている。
【００５５】
コンタクト収納室１２０はコネクタハウジング１１０の前後方向へ延びるように形成されている。このコンタクト収納室１２０に臨むようにハウジングランス３０が設けられている。
【００５６】
上下方向で隣り合うコンタクト収容室１２０を区画する隔壁１２１には、コンタクト２５０の挿入によってハウジングランス３０が上方へ撓んだときに突起部３２を受容する孔１２２が設けられている。
【００５７】
また、コンタクト２５０の挿入によってハウジングランス３０が上方へ撓んだときに平板部３１が当接してハウジングランス３０の撓み量を規制する撓み量規制部１２３が隔壁１２１に設けられている。
【００５８】
リテーナ１４０はコネクタハウジング１１０の前端面を覆うカバー部１４１とこのカバー部１４１に直交する挿入突起部１４２とを有し、例えばロック部（図示せず）を介してコネクタハウジング１１０に着脱可能に装着されている。
【００５９】
カバー部１４１には相手側コンタクト（図示せず）をコンタクト収納室１２０へ案内するための孔１４３が孔１１１と対向して形成されている。
【００６０】
挿入突起部１４２には孔１２２より若干幅が狭く、厚さが孔１２２とほぼ同じ閉塞板１４４が設けられている。閉塞板１４４は、リテーナ１４０をコネクタハウジング１１０に装着したとき、先端部１４４ａがコネクタハウジング１１０の当接面１１０ａと当接して孔１２２を閉塞する。
【００６１】
次に、コネクタハウジング１１０へのコンタクト２５０の挿入について説明する。
【００６２】
コンタクト２５０をコネクタハウジング１１０の後部開口１１２からコンタクト収容室１２０に挿入する。このとき、コンタクト収容室１２０内のコンタクト２５０はハウジングランス３０を上方へ押圧するためハウジングランス３０が変形する。
【００６３】
コンタクト２５０を正規の係止位置まで挿入したとき、ハウジングランス３０は弾性力によって元の位置に復帰し、コンタクト２５０の切欠部２５２がハウジングランス３０の係止面３１ａに係止される。
【００６４】
その後、リテーナ１４０をコネクタハウジング１１０に装着する。
【００６５】
リテーナ１４０の挿入突起部１４２がコンタクト収容室１２０に所定量だけ挿入されたとき、リテーナ１４０の閉塞板１４４の先端部１４４ａがコネクタハウジング１１０の当接面１１０ａに当接する。
【００６６】
その結果、コネクタハウジング１１０の前端面の開口面積がカバー部１４１によって小さくなるとともに、隣り合うコンタクト収容室１２０を区画する隔壁１２１に設けられた孔１２２が閉塞板１４４によって閉塞される。
【００６７】
この第２実施形態によれば、第１実施形態と同様の効果を奏するとともに、コネクタハウジング１１０の前端面の開口面積がカバー部１４１（リテーナ１４０）によって小さくなるため、コンタクト収容室１２０への埃等の侵入を防ぐことができ、しかも隣り合うコンタクト収容室１２０を区画する隔壁１２１に設けられた孔１２２が閉塞板１４４（リテーナ１４０）によって閉塞されるため、隣り合うコンタクト収容室１２０に挿入されるコンタクト相互間の耐電圧性能が向上する。
【００６８】
なお、コンタクト２５０が半挿入状態にあるときには、ハウジングランス３０は撓んだ状態にあるため、リテーナ１４０を挿入すると、リテーナ１４０の先端部１４４ａがハウジングランス３０の先端部３２ａ又は係止面３１ａに突き当たるため、リテーナ１４０を正規の位置まで挿入できないので、コンタクト２５０が正規の係止位置まで挿入されていないことを検知することができる。
【００６９】
また、上記実施形態ではハウジングランス３０の断面を図４に示す形状としたが、突起部３２の断面の幅が平板部３１の断面の幅よりも小さい形状であれば、Ｌ字形等の任意の断面形状でよい。
【００７０】
【発明の効果】
以上に説明したように請求項１に記載の発明のコネクタによれば、大きなコンタクト保持力を確保しながら優れたコンタクトの挿入性を得ることができる。
【００７１】
請求項２記載の発明のコネクタによれば、大きなコンタクト保持力を確保しながら優れたコンタクトの挿入性を得ることができるとともに、コネクタハウジングの上下方向（係止部の撓み方向）の寸法を小さくしてコネクタの小型化、薄型化を図ることができる。
【００７２】
請求項３記載の発明のコネクタによれば、係止部の塑性変形が阻止される。
【００７３】
請求項４記載の発明のコネクタによれば、コンタクト収容室への埃等の侵入を防ぐことができるとともに、隣り合うコンタクト収容室に挿入されるコンタクト相互間の耐電圧性能が向上する。
【図面の簡単な説明】
【図１】図１はこの発明の第１実施形態に係るコネクタの正面図である。
【図２】図２は図１のII−II 線に沿う断面図である。
【図３】図３はハウジングランスの拡大斜視図である。
【図４】図４は図２のIV−IV線に沿う断面図である。
【図５】図５はこの発明の第２実施形態に係るコネクタの正面図である。
【図６】図６は図５のVI−VI線に沿う断面図である。
【図７】図７はハウジングランスの拡大斜視図である。
【図８】図８は従来のコネクタの正面図である。
【図９】図９は図８のIX−IX線に沿う断面図である。
【図１０】図１０はハウジングランスの拡大斜視図である。
【図１１】図１１はコンタクトの斜視図である。
【符号の説明】
１，１０１  コネクタ
１０，１１０  コネクタハウジング
２０，１２０  コンタクト収容室
２１，１２１  隔壁
２２，１２２  孔
２３，１２３  撓み量規制部
３０  ハウジングランス（係止部）
１４０  リテーナ（閉塞部材）
２５０  コンタクト
【図１】
0003643327.tif 000002
【図２】
0003643327.tif 000003
【図３】
0003643327.tif 000004
【図４】
0003643327.tif 000005
【図５】
0003643327.tif 000006
【図６】
0003643327.tif 000007
【図７】
0003643327.tif 000008
【図８】
0003643327.tif 000009
【図９】
0003643327.tif 000010
【図１０】
0003643327.tif 000011
【図１１】
0003643327.tif 000012